(57)【要約】【課題】低周波成分に起因するピッチむらを有効に補正・軽減する。【解決手段】光源手段からの光ビームを偏向手段１００により偏向し、偏向された光ビームを結像手段１０９、１１０により感光体ドラム１１１上に結像し、感光体ドラム１１１を光走査する光走査装置において、光源手段から偏向手段に至る光路中に、光ビームを副走査方向に、光走査の周期に比してゆっくりと微小振動させる光軸偏向手段１０７を有する。【選択図】図１
2008282021.tif 000002
【特許請求の範囲】
【請求項１】
光源手段からの光ビームを偏向手段により偏向し、偏向された光ビームを結像手段により感光体ドラム上に結像し、上記感光体ドラムを光走査する光走査装置において、
光源手段から偏向手段に至る光路中に、光ビームを副走査方向に、光走査の周期に比してゆっくりと微小振動させる光軸偏向手段を有することを特徴とする光走査装置。
【請求項２】
請求項１記載の光走査装置において、
光軸偏向手段が、副走査方向に揺動する振動モードを有する可動ミラーであることを特徴とする光走査装置。
【請求項３】
請求項２記載の光走査装置において、
光軸偏向手段である可動ミラーが、複数の振動モードを有することを特徴とする光走査装置。
【請求項４】
請求項１〜３の任意の１に記載の光走査装置において、
光軸偏向手段が、振動の位相を調節する位相可変手段を備えることを特徴とする光走査装置。
【請求項５】
請求項１〜４の任意の１に記載の光走査装置において、
光軸偏向手段が、振動の振幅を調節する振幅可変手段を備えることを特徴とする光走査装置。
【請求項６】
請求項１〜５の任意の１に記載の光走査装置において、
光源手段が複数の発光源を有し、光走査による画像記録を開始する副走査方向の先頭ラインを光走査する光ビームの発光源を切り換える選択手段を備えることを特徴とする光走査装置。
【請求項７】
光源手段からの光ビームを偏向手段により偏向し、偏向された光ビームを結像手段により感光体ドラム上に結像し、上記感光体ドラムを光走査して潜像を形成し、上記潜像を現像して得られる画像を感光体ドラム上から転写体へ転写する方式の画像形成装置において、光源手段が複数の発光源を有し、光走査による感光体ドラムへの書き込み位置から転写体への転写位置へ感光体ドラムが回転する時間に応じて、光走査による画像記録を開始する副走査方向の先頭ラインを光走査する光ビームの発光源を切り換える選択手段を有することを特徴とする画像形成装置。
【請求項８】
光源手段からの光ビームを偏向手段により偏向し、偏向された光ビームを結像手段により感光体ドラム上に結像し、上記感光体ドラムを光走査して潜像を形成し、上記潜像を現像して得られる画像を感光体ドラム上から転写体へ転写する方式の画像形成装置において、光走査による感光体ドラムへの書き込み位置から転写体への転写位置へ感光体ドラムが回転する時間を、同一画像記録プロセス内で微小変動させることを特徴とする画像形成装置。
【請求項９】
請求項７または８記載の画像形成装置において、
光走査による感光体ドラムへの書き込み位置を、感光体ドラムの回転周期に対応する周波数で副走査方向に振動させることを特徴とする画像形成装置。
【請求項１０】
請求項９記載の画像形成装置において、
感光体ドラム中心と感光体ドラムの回転軸との偏心量に応じて、書き込み位置の副走査方向における振動の振幅を調整することを特徴とする画像形成装置。
【請求項１１】
請求項９記載の画像形成装置において、
感光体ドラムの回転方向における基準位置を検出する検出手段を備え、この検出手段による検出信号に同期して、書き込み位置の副走査方向における振動の位相を制御することを特徴とする画像形成装置。
【請求項１２】
請求項７または８記載の画像形成装置において、
光走査による感光体ドラムへの書き込み位置を、転写体を移動させる駆動軸の回転周期に対応する周波数で、副走査方向に振動させることを特徴とする画像形成装置。
【請求項１３】
請求項７または８記載の画像形成装置において、
転写体に転写された画像により、同一画像内で変動する副走査方向のピッチ変動を検出する検出手段を備え、光走査による感光体ドラムへの書き込み位置を、上記ピッチ変動に対応した周期で副走査方向に振動させることを特徴とする画像形成装置。
【請求項１４】
請求項１２または１３記載の画像形成装置において、
転写体の、移動方向における基準位置を検出する検出手段を備え、この検出手段による検出信号に同期して、光走査による感光体ドラムへの書き込み位置の副走査方向における振動の位相を制御することを特徴とする画像形成装置。
【請求項１５】
複数の光源手段からの各光ビームを偏向手段により偏向し、偏向された各光ビームを複数の結像手段により各光ビームに対応した感光体ドラムに結像させ、各感光体ドラム上に同時に光走査を行う光走査装置において、
結像手段の一部を構成する結像素子を、各感光体ドラムに対向する配置位置に保持する、上記各結像素子に共通の基体を有し、
上記基体が、各感光体ドラムから等距離に形成された当接面を備え、上記当接面内で上記結像素子の姿勢を保持することを特徴とする光走査装置。
【請求項１６】
請求項１５記載の光走査装置において、
結像手段の一部を構成する結像素子が、レンズ部と、このレンズ部の主走査方向における両端に形成されて基体の当接面に当接するフランジ部を備え、
上記レンズ部に、副走査方向における位置規制手段を持たないことを特徴とする光走査装置。
【請求項１７】
請求項１６記載の光走査装置において、
結像素子の副走査断面積を、フランジ部において最小としたことを特徴とする光走査装置。
【請求項１８】
請求項１５または１６または１７記載の光走査装置において、
結像素子が、射出成形による樹脂レンズで、各結像素子のゲート部の方向を揃えて配設されることを特徴とする光走査装置。
【請求項１９】
請求項１５〜１８の任意の１に記載の光走査装置において、
各結像素子を当接面内で副走査方向に突き当てる位置決め手段を有し、これら位置決め手段による各結像素子の副走査方向の突き当て方向を揃えたことを特徴とする光走査装置。
【請求項２０】
請求項１５〜１９の任意の１に記載の光走査装置において、
各結像素子を当接面内で副走査方向に突き当てる位置決め手段を備え、且つ、突き当て部位を可変としたことを特徴とする光走査装置。
【請求項２１】
複数の光源手段からの各光ビームを偏向手段により偏向し、偏向された各光ビームを複数の結像手段により各光ビームに対応した感光体ドラムに結像させ、各感光体ドラム上に同時に光走査を行う光走査装置において、
結像手段の一部を構成する結像素子を、各感光体ドラムに対向して配置し、
上記結像素子の副走査方向における少なくとも一方の辺に、主走査方向における引張り応力または圧縮応力を付与する応力発生手段を設け、結像素子の副走査方向における反り量を可変としたことを特徴とする光走査装置。
【請求項２２】
請求項２１記載の光走査装置において、
応力発生手段が、結像素子と一体的に配備されていることを特徴とする光走査装置。
【請求項２３】
複数の光源手段からの各光ビームを偏向手段により偏向し、偏向された各光ビームを複数の結像手段により各光ビームに対応した感光体ドラムに結像させ、各感光体ドラム上に同時に光走査を行って潜像を形成し、上記潜像を現像して得られる画像を各感光体ドラム上から共通の転写体へ順次転写し、上記転写体に転写された各画像により、各画像のレジストずれを検出手段で検出する方式の画像形成装置において、
結像手段の一部を構成する結像素子を、各々の感光体ドラムに対向して配置するとともに、検出手段により検出されたレジストずれに基づき、上記結像素子の副走査方向における傾き量を調整することを特徴とする画像形成装置。
【請求項２４】
複数の光源手段からの各光ビームを偏向手段により偏向し、偏向された各光ビームを複数の結像手段により各光ビームに対応した感光体ドラムに結像させ、各感光体ドラム上に同時に光走査を行って潜像を形成し、上記潜像を現像して得られる画像を各感光体ドラム上から共通の転写体へ順次転写し、上記転写体に転写された各画像により、各画像のレジストずれを検出手段で検出する方式の画像形成装置において、
結像手段の一部を構成する結像素子を、各々の感光体ドラムに対向して配置し、検出手段により検出されたレジストずれに基づき、結像素子の副走査方向における反り量を調整することを特徴とする画像形成装置。
【発明の詳細な説明】
【技術分野】
【０００１】
この発明は、光走査装置および画像形成装置に関する。
【背景技術】
【０００２】
この発明の光走査装置は、デジタル複写機やレーザプリンタ、レーザプロッタやファクシミリ装置等の書込系として好適に実施できる。また、この発明の画像形成装置は特に、複数色のトナー像を重ね合わせてカラー画像を形成する多色画像形成装置として好適に実施できる。
【０００３】
カールソンプロセスを用いる画像形成装置においては一般に、感光体ドラムの回転に従って潜像形成、現像、転写が行われるが、感光体ドラム回転軸の偏心や「感光体ドラム駆動モータ」の回転速度変動により、潜像形成から転写までの時間が刻々と変動し、転写された画像の副走査方向の「各光走査で書き込まれた画像の間隔（走査線ピッチ）」であるピッチにむらが生じ、濃度むらが発生する。
【０００４】
また、複数の感光体ドラムを転写体の移動方向に配列して、各感光体ドラム上の「互いに色の異なる画像」を順次転写体上に転写して重ね合わせ、多色あるいはカラーの画像を得る所謂「タンデム式の画像形成装置」では、上記ピッチむらに起因して、互いに重ね合せられるトナー画像相互の位置ずれにより、色ずれや色変わりが生じ、画像品質を劣化させる。
【０００５】
また、転写部においても「転写体」である転写ベルトや搬送ベルトの移動速度変動により同様にピッチむらが生じ、上記濃度むら、色ずれ、色変わりの原因となる。この場合のピッチむらは、主に転写紙を搬送する搬送ベルトや転写ベルトを駆動する駆動ローラの偏心や回転速度変動が要因とされている。
【０００６】
従って、上記濃度むらや色ずれ、色変わりを解消するには、感光体ドラム回転軸の偏心や、感光体ベルト駆動モータの回転速度変動、転写ベルトや搬送ベルトを駆動する駆動ローラの偏心や回転速度変動をなくせば良いわけであるが、加工限界や動力伝達系での負荷変動を完全になくすことは不可能であり、上記偏心や回転速度変動を０に抑えることはできない。
【０００７】
また、上記タンデム式のカラー画像形成装置の場合には、各感光体ドラムに潜像を形成する光走査装置相互においても、各色の潜像同士のレジストを正確に合わせなければ「色ずれや色変わり」の原因となるし、各光走査装置により書き込まれる走査線の傾きが互いに異なったり、走査線の曲がりの程度が異なったりするとやはり色ずれや色変わりが生じてしまう。
【０００８】
感光体ドラムの回転むらの影響を除去する方法としては、感光体ドラムへの潜像形成から転写に至る時間を「回転むらの周期の整数倍」とすることにより、周期的に変化する潜像形成時の位置ずれ量と転写時の位置ずれ量の位相を合わせてキャンセルする方法が提案されている（特許文献１）。
【０００９】
また、ピッチむらが周期的に生じることに着目し、ピッチむらを検出して感光体ドラムの回転に対応して補正ミラーを移動し、光走査位置をアクティブ制御する方法も提案されている（特許文献２）。
【００１０】
画像上に生じるピッチむらは、感光体ドラムや転写ベルト、搬送ベルトの駆動ローラ等の回転むらに起因する「低周波成分」と、駆動伝達系における歯車の噛み合い等による「高周波成分」との合成により生じるが、画像品質に対する要求の高まりに伴い高精度な歯車が用いられるようになり、画像劣化に直接影響する感光体ドラムや転写ベルトは伝達系の「ガタ」を避けダイレクト駆動するようになってきている。また、フライホイールにより慣性力を増やすことで、高周波成分については低減されてきている。
【００１１】
しかし、「部品の加工精度に伴う偏心や組み立てのばらつき」に伴う負荷変動等を要因とする低周波成分の影響は避けられず、これを如何に抑えるかが重要になってきている。
【００１２】
特に「タンデム式のカラー画像形成装置」では、トナー画像転写タイミングの変動による副走査方向のピッチむら周期の位相や振幅が、各画像で異なるため、上述の方法では、各画像間のドット位置を確実に合わせることができなかった。
【００１３】
また、潜像同士のレジストを合わせるのに、従来から、レジストのずれを転写体に記録された画像により検出し、副走査位置に関しては書き出しのタイミングを可変することで調整を行っている。
【００１４】
走査線の「曲がりや傾き」に対しては、光路中に配備した反射ミラーを湾曲させたり、反射ミラーを転写面と平行な面内で傾ける補正方法（特許文献３）、結像光学系を構成する一部のレンズの光軸高さを変えたり（特許文献４）、レンズ自体を強制的に湾曲させたり（特許文献５）、結像光学系を構成する一部のレンズを光軸の周りに回転させたり（特許文献６）する補正方法が知られている。
【００１５】
近年、光走査装置の結像手段の一部として、樹脂成形によるレンズが搭載されるようになってきている。樹脂成形によるレンズは、複雑な曲面形状が自在に形成でき、低コストであるメリットを有するが、走査線の傾きや曲がりを初期において調整したとしても、環境温度等の変化によるレンズ自体の変形が原因して走査線の曲がりや傾きが発生するといった問題を有する。
【００１６】
特に、偏向手段から離れた位置に配置される樹脂製のレンズは「主走査方向に長尺」となるため剛性が低くなりがちで、副走査方向の一方の面を当接して姿勢を保持するといった従来の方法では、レンズ取付部の寸法誤差により「反りやねじれ等の応力がかかった状態」で保持され、レンズ自体が歪む問題がある。
【００１７】
樹脂製のレンズを特許文献５記載のように「強制的に湾曲」させて走査線の曲がりを無理に補正しようとすると、応力集中によりレンズ面の曲面形状が歪む問題があり、特許文献４記載の方法のように、副走査方向の光軸を中心に分布するレンズの内部屈折率に対して光ビームを偏って通過させると、感光体ドラム面におけるビームスポット径が不均一になる等の不具合を生じる。  
また、樹脂製のレンズを保持する基体と外気とは伝熱性が異なるため、基体に当接されている副走査方向の取付面と外気にさらされている反対面とに温度差を生じ、経時的にレンズ自体が歪んで曲がりが発生するという問題があった。
【００１８】
【特許文献１】特公平８−１４７３１号公報
【特許文献２】特開平１０−１９７８１０号公報
【特許文献３】特許第３０４９６０６号
【特許文献４】特開平１１−６４７５８号公報
【特許文献５】特開平１０−２６８２１７号公報
【特許文献６】特開平１１−１５３７６５号公報
【発明の開示】
【発明が解決しようとする課題】
【００１９】
この発明は、上述したところに鑑み「主として前記低周波成分に起因するピッチむら」を有効に補正・軽減することを課題とする。
【００２０】
この発明はまた、タンデム式のカラー画像形成装置において、各画像形成ステーションで生じる周期的なピッチむらを効果的に補正し、色ずれや色変わりのない良好なカラー画像を実現することを課題とする。
【００２１】
この発明はさらに、結像手段に含まれる樹脂成形レンズによってもたらされる走査線の曲がりや傾きを低減し、色ずれや色変わりのない良好なカラー画像を実現することを課題とする。
【課題を解決するための手段】
【００２２】
請求項１記載の光走査装置は「光源手段からの光ビームを偏向手段により偏向し、偏向された光ビームを結像手段により感光体ドラム上に結像し、感光体ドラムを光走査する光走査装置」であって、以下の点を特徴とする。
【００２３】
即ち、光源手段から偏向手段に至る光路中に「光軸偏向手段」を設け、光ビームを副走査方向に、光走査の周期に比してゆっくりと微小振動させる。
【００２４】
このように光ビームを光軸偏向手段で偏向させることにより、光走査による走査線の位置を副走査方向に移動させることができ、感光体ドラムの回転むらの周期に合わせて上記偏向を行うことにより、走査線ピッチのむらを有効に補正・軽減することができる。
【００２５】
また、光軸偏向手段による光ビームの偏向は、光走査の周期に比してゆっくりであるため、光ビームの偏向が「走査線を傾けたり曲げたりする」ことはない。
【００２６】
光軸偏向手段は「副走査方向に揺動する振動モードを有する可動ミラー」であることができ（請求項２）、この可動ミラーは「複数の振動モード」を有することもできる（請求項３）。
【００２７】
上記請求項１〜３の任意の１に記載の光走査装置において用いられる光軸偏向手段は、「振動の位相を調節する位相可変手段」を備えることができ（請求項４）、請求項１〜４の任意の１に記載の光走査装置において用いられる光軸偏向手段は「振動の振幅を調節する振幅可変手段」を備えることができる（請求項５）。
【００２８】
上記請求項１〜５の任意の１に記載の光走査装置における光源手段は、「複数の発光源を有し、光走査による画像記録を開始する副走査方向の先頭ラインを光走査する光ビームの発光源を切り換える選択手段を備える」ことができる（請求項６）。
【００２９】
請求項７記載の画像形成装置は「光源手段からの光ビームを偏向手段により偏向し、偏向された光ビームを結像手段により感光体ドラム上に結像し、感光体ドラムを光走査して潜像を形成し、潜像を現像して得られる画像を感光体ドラム上から転写体へ転写する方式の画像形成装置」であって、以下の特徴を有する。
【００３０】
即ち、光源手段が複数の発光源を有し、（マルチビーム走査方式による）光走査による感光体ドラムへの書き込み位置から転写体への転写位置へ感光体ドラムが回転する時間に応じて、「画像記録を開始する副走査方向の先頭ラインを光走査する光ビーム」の発光源を切り換える選択手段を有する。
【００３１】
請求項８記載の画像形成装置は「光源手段からの光ビームを偏向手段により偏向し、偏向された光ビームを結像手段により感光体ドラム上に結像し、感光体ドラムを光走査して潜像を形成し、潜像を現像して得られる画像を感光体ドラム上から転写体へ転写する方式の画像形成装置」であって、以下の特徴を有する。
【００３２】
即ち、光走査による感光体ドラムへの書き込み位置から転写体への転写位置へ感光体ドラムが回転する時間を、同一画像記録プロセス内で微小変動させる。
【００３３】
上記請求項７または８記載の画像形成装置においては「光走査による感光体ドラムへの書き込み位置を、感光体ドラムの回転周期に対応する周波数で副走査方向に振動させる」ことができる（請求項９）。この振動は、前記光軸偏向手段により行うことができる。
【００３４】
請求項９記載の画像形成装置においては「感光体ドラム中心と感光体ドラムの回転軸との偏心量に応じて、書き込み位置の副走査方向の振動の振幅を変化させる」ことができる（請求項１０）。このような振幅の可変は、請求項５記載の振幅可変手段を用いて行うことができる。
【００３５】
請求項９記載の画像形成装置においてはまた「感光体ドラムの回転方向における基準位置を検出する検出手段を備え、この検出手段による検出信号に同期して、書き込み位置の副走査方向における振動の位相を制御する」ことができる（請求項１１）。このような位相の制御は、請求項４記載の位相可変手段を用いて行うことができる。
【００３６】
請求項７または８記載の画像形成装置においては、光走査による感光体ドラムへの書き込み位置を、転写体を移動させる駆動軸の回転周期に対応する周波数で、副走査方向に振動させることができ（請求項１２）、この振動は、前記光軸偏向手段により行うことができる。
【００３７】
請求項７または８記載の画像形成装置はまた「転写体に転写された画像により、同一画像内で変動する副走査方向のピッチ変動を検出する検出手段」を備えることができ、光走査による感光体ドラムへの書き込み位置を、ピッチ変動に対応した周期で副走査方向に振動させることができる（請求項１３）。
【００３８】
上記請求項１２または１３記載の画像形成装置はまた、転写体の「移動方向における基準位置」を検出する検出手段を備えることができ、この検出手段による検出信号に同期して、光走査による感光体ドラムへの書き込み位置の副走査方向における振動の位相を制御することができる（請求項１４）。
【００３９】
請求項１５記載の光走査装置は、「複数の光源手段からの各光ビームを偏向手段により偏向し、偏向された各光ビームを複数の結像手段により各光ビームに対応した感光体ドラムに結像させ、各感光体ドラム上に同時に光走査を行う光走査装置」であって、以下の点を特徴とする。
【００４０】
即ち、結像手段の一部を構成する結像素子を「各感光体ドラムに対向する配置位置」に保持する「各結像素子に共通の基体」を有し、この基体が「各感光体ドラムから等距離に形成された当接面」を備え、この当接面内で結像素子の姿勢を保持する。
【００４１】
この請求項１５記載の光走査装置において「結像手段の一部を構成する結像素子」が、レンズ部と、このレンズ部の主走査方向における両端に形成されて基体の当接面に当接するフランジ部とを備え、レンズ部に「副走査方向における位置規制手段を持たない」ようにすることができる（請求項１６）。この場合「結像素子の副走査断面積を、フランジ部において最小」とすることが好ましい（請求項１７）。
【００４２】
請求項１５または１６または１７記載の光走査装置における結像素子は「射出成形による樹脂レンズ（樹脂製のレンズ）で、各結像素子のゲート部の方向を揃えて配備される」ことが好ましい（請求項１８）。
【００４３】
請求項１５〜１８の任意の１に記載の光走査装置は「各結像素子を当接面内で副走査方向に突き当てる位置決め手段を有し、これら位置決め手段による各結像素子の副走査方向の突き当て方向を揃える」ことができる（請求項１９）。
【００４４】
請求項１５〜１９の任意の１に記載の光走査装置はまた「各結像素子を当接面内で副走査方向に突き当てる位置決め手段」を備え、且つ、突き当て部位を可変とすることができる（請求項２０）。
【００４５】
請求項２１記載の光走査装置は、「複数の光源手段からの各光ビームを偏向手段により偏向し、偏向された各光ビームを複数の結像手段により各光ビームに対応した感光体ドラムに結像させ、各感光体ドラム上に同時に光走査を行う光走査装置」であって、以下の点を特徴とする。
【００４６】
即ち、結像手段の一部を構成する結像素子を、各感光体ドラムに対向して配置し、結像素子の副走査方向における少なくとも一方の辺に、主走査方向における引張り応力または圧縮応力を付与する応力発生手段を設け、結像素子の副走査方向における反り量を調整可能とする。
【００４７】
この「応力発生手段」は、結像素子と一体的に配備することができる（請求項２２）。
【００４８】
請求項２３記載の画像形成装置は「複数の光源手段からの各光ビームを偏向手段により偏向し、偏向された各光ビームを複数の結像手段により各光ビームに対応した感光体ドラムに結像させ、各感光体ドラム上に同時に光走査を行って潜像を形成し、潜像を現像して得られる画像を各感光体ドラム上から共通の転写体へ順次転写し、転写体に転写された各画像により、各画像のレジストずれを検出手段で検出する方式の画像形成装置」であって、以下の点を特徴とする。
【００４９】
即ち、結像手段の一部を構成する結像素子を、各々の感光体ドラムに対向して配置するとともに、検出手段により検出されたレジストずれに基づき、結像素子の副走査方向における傾き量を調整する。
【００５０】
請求項２４記載の画像形成装置は「複数の光源手段からの各光ビームを偏向手段により偏向し、偏向された各光ビームを複数の結像手段により各光ビームに対応した感光体ドラムに結像させ、各感光体ドラム上に同時に光走査を行って潜像を形成し、潜像を現像して得られる画像を各感光体ドラム上から共通の転写体へ順次転写し、転写体に転写された各画像により、各画像のレジストずれを検出手段で検出する方式の画像形成装置」であって、以下の点を特徴とする。
【００５１】
即ち、結像手段の一部を構成する結像素子を、各々の感光体ドラムに対向して配置し、検出手段により検出されたレジストずれに基づき、結像素子の副走査方向における反り量を調整する。
【００５２】
勿論、上記請求項１５〜２２の任意の１に記載された光走査装置は、請求項１における光軸偏向手段を有することができ、この光軸偏向手段は、請求項２、３に記載の「副走査方向に揺動する振動モードを有する可動ミラー」や「複数の振動モードを有する可動ミラー」であることができる。そして、光軸偏向手段は請求項４記載の「振動の位相を調節する位相可変手段」を備えることができ、「振動の振幅を調節する振幅可変手段」を備えることもできる。
【００５３】
請求項１５〜２２の任意の１に記載された光走査装置はまた、その光源装置が請求項６におけると同様「複数の発光源を有し、光走査による画像記録を開始する副走査方向の先頭ラインを光走査する光ビームの発光源を切り換える選択手段を備える」ことができる。
【発明の効果】
【００５４】
以上に説明したように、この発明によれば新規な光走査装置および画像形成装置を実現できる。この発明の光走査装置は、上記の如く、低周波成分による走査線ピッチの周期的な変動や、カラー画像形成を行う場合のレジストずれ、あるいは走査線の曲がりや傾きを有効に補正でき、良好な画像書き込みを実現できる。  
このような光走査装置を用いるこの発明の画像形成装置は、従って、走査線ピッチむらに起因する画像の濃度むらや、カラー画像形成のおける色ずれ、色変わり等を有効に軽減して良好な画像を形成できる。
【発明を実施するための最良の形態】
【００５５】
以下、実施の形態を説明する。  
図１は、光走査装置の実施の１形態を示している。  
図１に示しているのは、図６に「画像形成部」を示すタンデム式のカラー画像形成装置における「１つの感光体ドラムを光走査する部分」である。混乱を避けるため、図１における符号は、図６における符号と異ならせてある。  
図６に示すタンデム式のカラー画像形成装置の「画像形成部」は、４つの感光体ドラム６０１、６０２、６０３、６０４を、転写体である転写ベルト６０５の周面の移動方向に沿って配列し、これら感光体ドラム６０１〜６０４に光走査で書き込み形成される静電潜像を互いに異なる色のトナーで可視化し、得られるトナー画像を順次、転写ベルト６０５に転写し、重ね合せてカラー画像を得、このカラー画像を図示されないシート状記録媒体、例えば、記録紙に転写・定着してカラー画像形成を行う。
【００５６】
感光体ドラム６０１〜６０５を光走査する光走査装置は「偏向手段」であるポリゴンミラー６０６が共通化され、ポリゴンミラー６０６により偏向された光ビームを対応する感光体ドラムに結像させる「結像手段」をなすレンズも、その一部は複数の感光体ドラムに共用されている。
【００５７】
光源ユニット６０７、６０８はそれぞれ、ポリゴンミラー６０６の「同じ偏向反射面で偏向される光ビームを発光する２つの半導体レーザ」を対として、同一ユニット内に収容している。なお、図６の実施の形態に関しては後に詳述する。
【００５８】
図１を参照すると、図１に示されているのは、例えば、図６の構成において、光源ユニット６０７からの光ビームにより感光体ドラム６０２を光走査する部分に相当する。
【００５９】
図１において、感光体ドラム１１１を光走査するための半導体レーザ１０１と「別の感光体ドラムを露光する半導体レーザ１０２」とから放射された光ビームは、各々カップリングレンズ１０３、１０４により平行光束に変換され、平行四辺形プリズムと台形プリズムとを組合せた合成プリズム１０５の同じ面から入射する。
【００６０】
半導体レーザ１０１からの光ビームは合成プリズム１０５（の台形プリズム）をそのまま透過し、半導体レーザ１０２からの光ビームは平行四辺形プリズムの平行な反射面対で順次反射され、半導体レーザ１０１からの光ビームに「近接し、副走査方向に所定の間隔をもって射出」する。
【００６１】
各光ビームは、シリンダレンズ１０６の「中心軸から副走査方向に偏心した位置」を通過し、ポリゴンミラー１００の偏向反射面位置で「副走査方向に交差する」ように屈折され、可動ミラー１０７、１０８によりそれぞれ反射され、ポリゴンミラー１００の偏向反射面位置近傍に「主走査方向に長い線像」として結像し、ポリゴンミラー１００の等速回転により等角速度的に偏向する光束となる。以下、感光体ドラム１１１へ向う光ビームのみを説明する。
【００６２】
ポリゴンミラー１００により偏向された光ビームは「結像手段」としてのｆθレンズ１０９、トロイダルレンズ１１０を透過し、これらレンズの作用により感光体ドラム１１１の感光面上にスポット状に結像し、上記感光面を光走査する。
【００６３】
この実施の形態において、ｆθレンズ１０９、トロイダルレンズ１１０は「副走査方向に細幅の短冊状」に成形されている。
【００６４】
可動ミラー１０７は、感光体ドラム１１１を光走査する光ビームを副走査方向へ偏向させる機能を持ち、当該光ビームに対する「光軸偏向手段」である。  
半導体レーザ１０１、１０２は「複数の発光源が１０数μｍピッチでアレイ状に配列されてモノリシックに形成された半導体レーザアレイ」であり、カップリングレンズ１０３、シリンダレンズ１０６、ｆθレンズ１０９、トロイダルレンズ１１０による「副走査方向の合成結像倍率：β」を、発光源のピッチ：ｄに対して、β＝ｐ／ｄとなるように設計することにより、各発光源からの光ビームが感光体ドラム上に形成する光スポットが、記録密度に応じた画素ピッチ：ｐとなるようになっている。
【００６５】
光走査は「マルチビーム走査方式」で行われるが、複数の発光源のうちから適当な１つを、先頭ライン書き込み用に選択できるようになっている。
【００６６】
上述したように、半導体レーザ１０１、１０２からの光ビームを、ポリゴンミラー近傍で副走査方向に交差させている。このようにすることにより、ポリゴンミラー１００により偏向された各半導体レーザからの光ビームを副走査方向へ分離し、別個の感光体ドラムへ向かわせることができる。図１においては、半導体レーザ１０１からの光ビームが、ポリゴンミラーによる偏向後、２面の折返しミラー１１２、１１４により感光体ドラム１１１に導かれている。
【００６７】
図１において、符号１１３は「同期検知センサ」で、主走査方向の書き込み開始のタイミングをとる。
【００６８】
図１において、半導体レーザ１０２からの光ビームの光路は省略してある。この実施の形態においては、可動ミラー１０７、１０８を共通の「可動ミラーモジュール」としているが、各可動ミラーを光ビーム毎に別個に配備してもよい。
【００６９】
図２は、図１に符号１０７、１０８で示した可動ミラー（図２では符号２０２、２０３で示す）を用いた「光軸偏向手段」としての「可動ミラーモジュール」を分解斜視図により示す。
【００７０】
可動ミラーモジュールは、焼結金属等で成形された支持基板２０１に、副走査方向に並列した第１、第２の可動ミラー２０２、２０３が支持され、キャップ状に成形されたカバー２０５により内部を密閉され、カバー２０５の開口部に設けられたガラス窓２０４を介して光ビームの出入が行われる。  
密閉された内部には「不活性ガス」が封入される。
【００７１】
「可動ミラー基板」はＳｉ基板２０６とＳｉ支持枠２０７を、絶縁膜を介して接合して構成されている。Ｓｉ基板２０６は厚さ：６０μｍのＳｉ基板からなり、エッチングにより「第１、第２の可動ミラー２０２、２０３及び各可動ミラーを軸支するねじり梁２０８、２０９の周囲」を切除し、可動ミラー２０２、２０３がそれぞれ、ねじり梁２０８、２０９により固定枠２１０に接合された状態となるように形成される。第１及び第２のねじり梁２０８、２０９は、主走査方向に互いに平行に配列されている。
【００７２】
Ｓｉ基板２０６の面内で、ねじり梁２０８、２０９に直交する方向における可動ミラー２０２、２０３の両端縁部、固定枠２１０の両端縁部には、櫛歯状の凹凸が互いに噛み合うように形成されている。可動ミラー２０２、２０３の表面および固定枠２１０に形成した上記凹凸部にはＡｕ等による「金属被膜」が蒸着され、各可動ミラー２０２、２０３の凹凸部が第１、第２の可動電極、対向する固定枠の凹凸部が第１、第２の固定電極とされる。
【００７３】
第１、第２の固定電極に電圧を印加すると、対向する可動電極との間に静電力が生じ、ねじり梁２０８、２０９を捩りつつ可動ミラー２０２、２０３が個別に微小角回転する。固定電極に周期的にパルス状電圧を印加することにより、各可動ミラー２０２、２０３を揺動的に振動させることができる。
【００７４】
このとき、ねじり梁２０８、２０９を「振動される部分に固有の共振周波数」に合わせた幅と長さに設定すれば共振により振幅を拡大でき、駆動のための印可電流が微小ですむため消費電力を低減できるが、感光体ドラム等の回転に伴う振動伝達による共振を防止する上で、上記共振周波数は「上記回転に伴なう振動に対して十分高い共振周波数（２００Ｈｚ以上）」に設定しておくのが好ましい。
【００７５】
逆に、振動伝達に伴う副走査方向のピッチ変動（バンディング）を補正するように共振周波数を設定してもよい。
【００７６】
上記の如く、固定電極・可動電極を櫛歯状とすることにより「外周長をできるだけ長くして電極長をかせぐ」ことができ、低電圧でより大きい静電トルクを得ることができる。
【００７７】
Ｓｉ支持枠２０７は、厚さ：２００μｍのＳｉの基板中央部を開口させ、Ｓｉ基板２０６の支持部を固定し、上記開口部が可動ミラー２０２、２０３の揺動空間となるようにしている。リード端子２１２は、絶縁材を介して支持基板２０１を貫通させて配設され、各固定電極とＳｉ基板２０６の基板面上で配線されたパッド部２１３と、リード端子２１２の上側に突出した端部とをワイヤーボンディングにより結線することで、封止された内外の電気配線がなされる。
【００７８】
カバー２０５は、支持基板２０１の外周に設けられた段差部にはめ込まれ、光ビームの射出開口にはガラス窓２０４がカバー内部から接合されている。
【００７９】
上記における「可動ミラー」の寸法を、縦：２ａ、横：２ｂ、厚さ：ｄ、ねじり梁の長さをＬ、幅をｃとし、Ｓｉの密度：ρ、材料定数：Ｇとして、可動ミラーの慣性モーメント、ねじり梁のバネ定数は、それぞれ、
慣性モーメント：Ｉ＝（４ａｂρｄ／３）・ａ2 
バネ定数：Ｋ＝（Ｇ／２Ｌ）・｛ｃｄ（ｃ2＋ｄ2）／１２｝
となり、共振周波数：ｆは、
ｆ＝(１/２π)・(Ｋ／Ｉ)1/2＝(１/２π)・{Ｇｃｄ(ｃ2＋ｄ2)/２４ＬＩ}1/2 
となる。梁の長さ：Ｌと振れ角：θは比例関係にあるので、Ａを定数として
θ＝（Ａ／Ｉ）ｆ2  、
で表され、振れ角：θは慣性モーメント：Ｉに反比例する。
【００８０】
従って、共振周波数：ｆを高める場合、慣性モーメント：Ｉを低減しないと振れ角：θが小さくなってしまう。説明中の実施の形態（図２）においては、実施例では可動ミラー２０２、２０３の裏側を「肉抜き」して軽量化を図り、慣性モーメント：Ｉを小さくしている。
【００８１】
また、空気の誘電率：ε、電極長さ：Ｈ、印加電圧：Ｖ、電極間距離：δを用いると、固定電極・可動電極間の静電力：Ｆは、
電極間の静電力：Ｆ＝εＨＶ2／２δ
となり、Ｂを定数として、振れ角：θ＝Ｂ・Ｆ／Ｉ  
と表すことができる。
【００８２】
この式から、電極長さ：Ｈが長いほど振れ角：θが大きくなることが分かる。  
説明中の実施例では、固定電極・可動電極は櫛歯状とすることにより電極長さ：Ｈを大きくし、櫛歯数：ｎに対して２ｎ倍の駆動トルクを得ることができる。
【００８３】
可動ミラーの速度：υ、面積：Ｅ、可動ミラー周囲の気体の密度：ηを用いると、可動ミラーに作用する気体の粘性抵抗：Ｐは、Ｃを定数として、
粘性抵抗：Ｐ＝Ｃ・ηυ2・Ｅ3  、
となる。
【００８４】
説明中の実施の形態では、上記の如く「可動ミラーを密閉状態」とし、内部に減圧した不活性気体を封入することにより、上記粘性抵抗の低減を図ると共に、可動ミラーに形成された金属膜の化学変化による変質を防止している。
【００８５】
図３（ａ）には、別の可動ミラーの例を示す。この可動ミラーは「２つの振動モード」を有する（請求項３）。
【００８６】
図３（ａ）に示す可動ミラーは、Ｓｉ基板３０６に対してエッチングを行って、可動ミラー３０３とこれを軸支する第１のねじり梁３０８、ねじり梁３０８に連結した可動枠３０９、この可動枠３０９を固定枠３１１に連結する第２のねじり梁３１０を、固定枠３１
１から図の如く分離して形成してなっている。
【００８７】
ねじり梁３０８、３１０を挟むようにして、可動ミラー３０３、可動枠３０９の両端縁部は櫛歯状に凹凸を形成し、この櫛歯と噛み合うよう対向する可動枠、固定枠側にも凹凸が形成されている。可動ミラー３０３、可動枠３０９、固定枠３１１に形成した凹凸部にはＡｕ等の金属被膜が蒸着され、可動ミラー３０３両端の凹凸部を第１の可動電極、可動枠３０９の対応する凹凸部を第１の固定電極、可動枠両端側の凹凸部を第２の可動電極、固定枠３１１の対応する凹凸部を第２の固定電極とされている。
【００８８】
可動ミラー３０３、可動枠３０９は、第１、第２の固定電極への電圧印加により対向する可動電極との間に生じる静電力により、ねじり梁３０８、３１０をねじることにより個別に微小角回転され、周期的にパルス状電圧を印加することで揺動的に振動する。
【００８９】
その際、ねじり梁３０８、３１０は同軸に形成されているため、第１、第２の固定電極に「異なる周波数の電圧」を印加すれば、「同方向に２つの振動モードが重なった振幅」で可動ミラー３０８を揺動させることができる。
【００９０】
図３（ａ）に示す可動ミラーも、図２に示したものと同様に、Ｓｉの支持枠に設けられ、支持基板とカバーとにより密閉され、内部を減圧状態として不活性ガスを封入される。電気配線等も図２の場合と同様の方法で行われる。
【００９１】
上記各例においては振動ミラーを静電力によって駆動しているが、圧電素子等を用いて駆動することも可能である。  
光軸偏向手段としては上記可動ミラーに限らず、光ビームの光軸方向を偏向させ得るものであれば適宜のものを用いて良い。例えば、図３（ｂ）に示すような、ＬｉＮＯ3やＺｎＯ等によりなる光導波路基板３２０中に光ビームを入射させ、表面弾性波によって光ビームの光軸を偏向することができる。
【００９２】
櫛型電極（トランスデューサ）３２１により励起される表面弾性波の周波数を調整することにより、光ビームの偏向角度を変化させることができる。符号３２２、３２３は各々「光ビームを光導波路基板３２０に対して入出射させるための回折格子」を示す。
【００９３】
説明を先に進めるのに先立ち、ここで、図６に示した（タンデム式のカラー画像形成装置の）画像形成部による画像形成を簡単に説明する。  
図６において、光源ユニット６０７、６０８から射出した光ビームは、シリンダレンズ６０９、６１０を透過し、可動ミラーモジュール６１１、６１２（図２に即して説明したのと同様のものである）を介して、ポリゴンミラー６０６により対向する方向に偏向される。
【００９４】
図１に即して説明したように、各光源ユニットからの光ビームは副走査方向に上下２段とされ、２つの光ビームにそれぞれ共通のシリンダレンズ６０９、６１０に、その中心軸から対称に副走査方向へ偏心して入射し、ポリゴンミラー６０６の偏向反射面近傍で副走査方向に交差し、ポリゴンミラー６０６で同じ方向に偏向される２本の光ビームにそれぞれ共通のｆθレンズ６１３、６１４を介し、感光体ドラム６０１には折り返しミラー６１５、６３６、感光体ドラム６０２には折り返しミラー６１６、６１７により導かれ、トロイダルレンズ６１８、６１９は各々個別に配備している。
【００９５】
感光体ドラム３０３、３０４へも同様に、それぞれ２枚の折り返しミラーと、光ビーム毎に別個のトロイダルレンズを介して導かれる。図の繁雑を避けるため、感光体ドラム３０３、３０４へ偏向光ビームを導光する折り返しミラーとトロイダルレンズへは符号を付していない。
【００９６】
各光源ユニット６０７、６０８は、前述した複数の半導体レーザ、カップリングレンズ、合成プリズムを保持するホルダと半導体レーザの駆動回路を実装するプリント基板を背面に取り付けた構成としている。光源ユニットは、光ビームを射出する円筒部を中心に回転可能な構成とされ、この部分を回転調整することにより、上下段の各光ビームの書き出し位相を微調整するようになっている。
【００９７】
感光体ドラム６０１、６０２、６０３、６０４は個別的に、モータ６２１、６２２、６２３、６２４のモータ軸に直接に連結され、モータ６２１、６２２、６２３、６２４は「共通の周波数」で、図６において時計回りに回転駆動される。
【００９８】
転写ベルト６０５は、駆動ローラ６２５に連結するモータ６２６により反時計回りに回転駆動され、従動ローラ６２７、６２８により所定の張力を与えられて保持されている。
【００９９】
説明中の例では、各感光体ドラムと転写ベルト６０５との接触位置である「転写位置」相互の間隔は、駆動ローラ６２５の周長の整数倍に設定され、駆動ローラ６２５の偏心等で生じる「周期的な速度変動の位相が互いに合う」ようにしている。駆動ローラ６２５に近接して、転写ベルト６０５上に形成する「各画像の基準位置を読み取る検出器」が配備される。
【０１００】
検出器６２９は、ＣＣＤエリアセンサ６３１と対物レンズ６３０とからなり、主走査方向に３組（中央と両端部）が設けられ、基準色（ブラック）のトナー像で形成した所定の検出パターンを拡大して読み取り「主走査・副走査のレジスト位置」を検出するとともに、多色（シアン、マゼンタ、イエロー）のトナー像と比較して「レジストずれ量」として主・副走査方向のレジスト位置、主走査方向両端側の２箇所の検出差より「走査ラインの傾き」、両端部２箇所の中点と中央部との差により「走査線の曲がり」を各々検出する。
【０１０１】
ピッチ変動を検出する場合には、副走査方向に一定周期で形成した「（図示されない）キャタピラ状パターンの間隔（時間差）」を所定のサンプリング時間で「縞のずれ」として読み取り、周波数解析により、転写ベルト６０５の移動速度変動の周期と振幅および上記レジスト位置との位相差を検出する。
【０１０２】
図５は、感光体ドラムＤＲに対する書き込み位置ＷＲと転写位置ＴＲとの関係を示す。符号Ｏは感光体ドラムＤＲの回転中心を示す。回転中心Ｏは、感光体ドラムＤＲの中心軸とずれている。書き込み位置ＷＲと転写位置ＴＲとは角度：αをなすように設定されている。
【０１０３】
従って、感光体ドラムＤＲの回転中心Ｏに偏心がなく、回転の角速度が一定であれば、感光体ドラムＤＲが「書き込み位置ＷＲから転写位置ＴＲへ回転する時間：ｔ」は一定となる。
【０１０４】
しかしながら、感光体ドラムＤＲの「ドラム径のばらつき」や書き込み位置ＷＲのずれにより、時間：ｔは感光体ドラム毎に異なる。また、感光体ドラムＤＲの回転中心Ｏが加工精度により偏心していると、時間：ｔは個々の感光体ドラムごとに周期的に変化する。
【０１０５】
この実施の形態では、感光体ドラムＤＲが書き込み位置ＷＲから転写位置ＴＲへ回転する時間：ｔのばらつきや周期的変化のうち、「ドラム径のばらつき」や書き込み位置ＷＲのずれに起因する時間：ｔの変化に対しては、光源ユニットにおける半導体レーザアレイにおける発光源のうちから最適のものを選択して先頭ラインの書き込みを行うことにより補正を行う（請求項６、７）。
【０１０６】
図７は、光源ユニットにおける半導体レーザアレイが「５つの発光源」を有する場合を示している。符号ＬＤ―１〜ＬＤ−５は、これら５つの発光源から放射された光ビームが感光体ドラムＤＲ（図５）上の書き込み位置ＷＲに形成する光スポットを示している。このような半導体レーザアレイを用いてマルチビーム走査方式の走査を行うと、１度に走査線５本分を光走査することができる。
【０１０７】
図７において、Ｎとあるのは「５本の光ビームを同時に偏向させるポリゴンミラーの偏向反射面」を意味し、Ｎ＋１は、この偏向反射面の次ぎの偏向を行う偏向反射面を示している。図の如く、偏向反射面が１面切り換わるごとに、５本の走査線が光走査される。
【０１０８】
感光体ドラムＤＲ（図５）に書き込み位置ＷＲで書き込みを開始するとき、同一の偏向反射面で偏向される複数の光ビームが形成する光スポットＬＤ−１、ＬＤ−２、ＬＤ−３、ＬＤ−４、ＬＤ−５の中から、前述の検出器６２９（図６）により検出された「基準色のレジスト位置（図７の右側）」との差が最も小さくなる光スポット（図７では光スポットＬＤ−４）を「先頭ラインの書き込み用の光スポット」として選択する。
この場合、偏向反射面Ｎによる偏向（書き込み開始）では「光スポットＬＤ―４、ＬＤ―５による２走査線」が書き込まれ、続く偏向反射面Ｎ＋１による偏向では走査線５本がマルチビーム走査される。
【０１０９】
図１０は「先頭ライン書き込みの発光源の選択を行うための回路」のブロック図を示す。半導体レーザアレイにおける発光源を表すのに、上記光スポットＬＤ−１〜ＬＤ−５と同じ符号を用いた。図１０に示すように、画像データは前段のマルチプレクサＭＰ１により５ライン毎にバッファメモリＭ１〜Ｍ５に振り分けられて一時保存される。
【０１１０】
後段のマルチプレクサＭＰ２では、基準位置データに基づき先頭ラインを選択し、出力先の半導体レーザを切り換えて、ポリゴンミラー１面毎の同期信号に同期してバッファメモリＭ１〜Ｍ５の記憶内容を読み出し、書き込み制御部ＷＣＴを介して半導体レーザアレイの発光源ＬＤ−１〜ＬＤ―５を駆動する。このとき、同一の偏向反射面による偏向で書き込まれなかった画像データは、次の偏向反射面による偏向まで保存される。
【０１１１】
上記のように「基準色のレジスト位置との差が最も小さくなる光スポットを先頭ラインの書き込み用の光スポットとして選択する」ことにより、感光体ドラムのドラム径のばらつきや書き込み位置のずれによる、時間：ｔの「感光体ドラムごとのばらつき」を良好に補正することができる。
【０１１２】
その場合、同期検知信号をトリガとして、画像を書き出すまでの主走査方向のタイミングは光走査部毎に上記レジスト位置検出結果に基づき、基準色と各々の画像領域との中央位置が一致するように書込制御部で再設定し、また画像幅（全幅倍率）が合うように、半導体レーザを変調する画周波数を画像幅の変化に対して反比例倍し、分周比によって段階的に決定される最も近い設定値を選択することにより、各画像領域が重なり合うようにする。
【０１１３】
上述の、副走査方向・主走査方向のレジスト位置の設定は、画像形成ジョブ前の準備期間、あるいはジョブ間の待機期間を利用して、画像形成装置の使用環境に適合するよう定期的に行われる。
【０１１４】
以下には、感光体ドラムや転写ベルトの回転中心の偏心による時間：ｔの周期的な変化の補正を説明する。
【０１１５】
図５における角：γは、感光体ドラムＤＲの中心軸から見て、書き込み位置ＷＲと回転中心Ｏとが張る角であり、これを偏心角：γと呼ぶ。上記感光体ドラムや転写ベルトの回転中心の偏心による時間：ｔの周期的な変化を補正するには、前述の可動ミラーを「感光体ドラムＤＲの１回転の周期」で、偏心角：γに応じ、可動ミラーの揺動の振幅・位相を上記周期変化の振幅・位相に合わせて微小振動させることにより、時間：ｔが一定となるように、書き込み位置を周期的に変化させる。
【０１１６】
感光体ドラムの中心軸が回転軸に対して偏心していると、回転軸から感光面に至る距離：ｒが、偏心の無い場合のドラム半径：ｒ０に対し、偏心量をΔｒとしてｒ０±Δｒの範囲で変化し、感光体ドラム上の任意の位置に着目すると、この部分は、感光体ドラムが等速回転するとき固有の周速を持つ。
そこで、この周速が大きいときには、光走査による光書き込み位置を「転写部から離す側（感光体ドラムの回転の上流側）」へずらし、逆に周速が小さいときには、書き込み位置を「転写部に近い側」へずらすことにより、書き込み位置から転写部へ感光体ドラムが回転する時間：ｔを均一にする（これは、見方を変えれば、書き込み位置を変動させないときには時間的に変動する時間：ｔを微小変動させて一定化することになる。請求項８）ことができる。
【０１１７】
書き込み位置を通過するときの感光体ドラムの周速は、感光体ドラムの１回転を周期として周期的に変動するから、図２に示した可動ミラーにより、光ビームを、上記周期に合わせて副走査方向へ偏向し、書き込み位置を、感光体ドラムの周速変化に「位相を合わせて変動させる」ことにより、上記時間：ｔを一定にできる。このとき、可動ミラーによる光ビームの副走査方向における変動は「光走査の周期に比して十分にゆっくりしている」から、光ビームの副走査方向への偏向による「走査線を曲がりや傾き」は極めて小さく、実際上無視できる。
【０１１８】
図８（１）は「画像上における副走査方向の記録ピッチ変動」の１例を示す。  
この変動は、感光体ドラムの１回転周期で生じる「大きなうねり（２）」と、転写ベルトの駆動ローラの１回転周期で生じる「小さなうねり（３）」とを合成したものである。
【０１１９】
上に説明したのは、上記「大きなうねり」を、図２に示した可動ミラーによる「光ビームの副走査方向における周期的な偏向」で補正する場合であるが、図８（１）のように、「２つの振動モードが重複」して記録ピッチが変動する場合には、図３（ａ）に示した可動ミラーを用い、可動枠３０９を「大きなうねり」にあわせて振動させ、可動ミラー３０３を振動を「小さなうねり」に合わせて振動させることにより、書き込み位置を副走査方向に、図８（１）に示すような「うねり」に合わせて確実に変位させることができ、図８（１）の「うねり」の存在に拘わらず、時間：ｔを一定にする事ができる。
【０１２０】
上に説明したように、振動モードの異なる２つの「うねり」のうち、振幅の大きい方（図８（２））のみに着目した周期で、可動ミラーを振動させても、転写位置においてピッチ変動が相殺されるように振幅と位相を揃えてやれば、時間：ｔの周期的変動によるピッチむらを有効に軽減できる。
【０１２１】
上述のピッチ変動は、駆動伝達系のもつ画像形成装置に固有の特性であるから、初期調整の段階で、各転写位置におけるピッチ変動が相殺されるように振幅と位相を揃えてやれば、有効に低減できる。
【０１２２】
図８には「一定の周期で速度変動が生じている場合」を示したが、画像形成過程における負荷変動等により途中で単発的に周期が変化する速度変動に対しても、発生時期にタイミングを合わせて可動ミラーを傾ければ、同様に補正することができる。
【０１２３】
図９は「可動ミラーの駆動回路」を示すブロック図である。図２に示す可動ミラーの各電極９４に供給される電圧は、各々基準クロックを基に、パルス幅形成部９１で可動ミラーの揺動周期に応じたパルス列を生成する。
【０１２４】
ＰＬＬ回路９２において、感光体ドラムの駆動モータのエンコーダや、転写ベルト上に描かれたレジストマークの検出等から発生される感光体ドラム回転方向の基準位置検出信号に対し、上記パルス列の位相が合わせられる（請求項４）。ゲイン調整部９３では、速度変動量（感光体ドラム周面の、書き込み部における速度変動量）に応じて可動ミラーの揺動の振幅を設定し（請求項５）電極９４に印加する。
【０１２５】
パルス幅生成部９１では、刻々変化する周波数のパルス列や、単発的に生じるパルスを生成することができ、補正データに応じて可動ミラーの振動周期を変更できる。
【０１２６】
ここで、図６に即して、結像手段につき説明を若干補足すると、ｆθレンズ６１３、６１４は「ガラス研磨による球面レンズに、非球面成分を樹脂成形により貼り合わせたハイブリッドレンズ」とし、トロイダルレンズ６１８、６１９は射出成形により形成されている。
【０１２７】
各感光体ドラム６０１〜６０４に対応して設けられたトロイダルレンズは、何れもトロイダルレンズ６１８と同じものであるので、トロイダルレンズ６１８を例にとって説明すると、トロダルレンズ６１８は、レンズ部６３２とそれを囲うように形成された箱状のリブ部６３４、主走査方向（長手方向）の両端から突出したフランジ部６３３が一体的に形成され、フランジ部６３３の一端には成形時に樹脂を注入したゲート部６３５が設けられている。
【０１２８】
トロイダルレンズは長尺であるため、「成形時のくせ」例えば、射出成形後の部分的な冷却時間差により、一様に反りを有する。感光体ドラム６０１〜６０４に対応して設けられた４つのトロイダルレンズ６１８、６１９等は「各レンズのゲート部の向きを揃え、各トロイダルレンズの反りが同じ向きになる」ように配置している（請求項１８）。このようにすれば「トロイダルレンズの反りによる走査線の曲がり」の向きを、各感光体ドラムに対して揃えることができる。
【０１２９】
フランジ部６３３は薄板状で、リブ部６３４で補強されたレンズ部６３２に比べ副走査断面係数を低くし、ねじり応力がかかってもこのフランジ部分で吸収されるようにしている（請求項１７）。このようにして、トロイダルレンズのレンズ部自体が捩り応力で大きくねじれるのを防止することができる。
【０１３０】
以下、図１２を参照して「走査線の傾きの補正」を説明する。  
図１２においては、図６において符号６１８を付したトロイダルレンズを、符号１２０１で示している。  
例えば、感光体ドラム６０１の光走査による走査線に「傾き」が生じる場合、この傾きは、トロイダルレンズ１２０１を「光軸と直交する面内に当接」した状態において、光軸の回りに回転調整することによって補正する。
【０１３１】
各トロイダルレンズ１２０１等は、図１２に示すように各感光体ドラム６０１〜６０４に対向して、（トロイダルレンズに共通の「基体（請求項１５）」である）ハウジング底面１２００に、光軸方向および副走査方向を揃えて配置され、主走査方向の中央部において感光体ドラム側に突出する突起１２１１を、ハウジング底面１２００側の凹部１２１３に係合させて主走査方向（長手方向）を位置決めされる。
【０１３２】
トロイダルレンズ１２０１等は、両端のフランジ部１２０２の「一方の側面」に当接するように配備された偏心カム１２０４、１２０５に、第１の板ばね１２１５によって押し付けられて副走査方向を位置決めされ（請求項１９）、下面をハウジング基準面１２１２に第２の板ばね１２１４によって押圧されて光軸方向を位置決めされて保持される。
【０１３３】
一方の偏心カム１２０５は基準用として調整状態でネジ固定され、他方の偏心カム１２０４は調整用で、斜歯ギヤ対１２０６を介してパルスモータ１２０７で回転可能としている。これにより、トロイダルレンズ１２０１等は、フランジ部下面をハウジング基準面１２１２に当接した状態で、副走査方向の位置を基準用の偏心カム１２０５で光ビームの走査位置に合わせて初期設定し、傾きを調整用の偏心カム１２０４で調整し（請求項２０）、光走査部間のずれや感光体ドラムの軸傾き等による副走査傾きを転写ベルト上での記録画像より検出し、経時的にも補正できるようにしている。
【０１３４】
なお、説明中の例では、ブラック画像を基準に多色を合わせるため、ブラック画像を書き込む光走査装置において、トロイダルレンズ１２０１（感光体ドラム６０１に対応する）に当接する偏心カムはいずれもネジ固定としている。
【０１３５】
基準用の偏心カム１２０５を、調整用カム１２０４と同様にパルスモータを配備して回転可能とすることにより、前述した「副走査方向のレジスト位置」の補正に用いることもできる。
【０１３６】
図１３を参照して「走査ラインの曲がり」の補正を説明する。  
図６の画像形成装置では前述したように、同一の偏向反射面に入射して、異なる感光体ドラムを光走査するように偏向される光ビームは、副走査方向において偏向反射面位置で交差させられるので、これらはポリゴンミラーの回転軸に直交する平面に対して傾いており、そのため、走査線の軌跡は直線にならず、中央から周辺にいくに従って副走査方向へ曲がる。
【０１３７】
走査線の曲がりはまた、結像手段を成すｆθレンズ・トロイダルレンズ同士の軸ずれ等によっても生じる。説明中の例では、走査線の曲がりを「トロイダルレンズ１２０１等を走査線の曲がりと逆向きに湾曲させる」ことにより、感光体ドラム上では走査線が直線となるように補正する。
【０１３８】
図１３、図１４を参照し、トロイダルレンズ１２０１を例にとって説明する。  
図１４（ａ）に示すように、トロイダルレンズ１２０１は両端のフランジ部１２０２（括弧内の数字は、図６における符号に対応する）でハウジング基準面１２１２に支持され、図１４（ｂ）に断面図として示すように「レンズ部には、副走査方向に何ら規制個所を持たない保持方式」としている（請求項１６）。
【０１３９】
図１３に示すように、トロイダルレンズ１２０１のリブ部の一方に、アーチ状に湾曲した形状記憶金属板１２０８の両端が接合されている。  
図１２に示すように、形状記憶金属板１２０８の外面に薄膜抵抗１２０９が貼り付けられ、薄膜抵抗１２０９への通電電流を制御することにより、形状記憶金属板１２０８の温度を変化させることができるようになっている。形状記憶金属板１２０８は「温度によって任意に曲率を変化させる」ことができ、この曲率変化による伸び縮みの応力をトロイダルレンズ１２０１に主走査方向へ作用させることによりトロイダルレンズ１２０１の湾曲量を調整できる。
【０１４０】
即ち、形状記憶金属板１２０８が伸びれば（縮めば）、トロイダルレンズ１２０１は形状記憶金属板１２０８側に凸（凹）となるように反る。予め低温時にいずれかの方向に応力がかかるよう形状記憶金属板１２０８の曲率を記憶させておけば、常温より低い場合にも、その副走査方向の焦線を感光体上での走査ラインの曲がりを相殺するように湾曲させて補正できる。
【０１４１】
即ち、形状記憶金属板１２０８と薄膜抵抗１２０９とは「応力発生手段（請求項２１）を構成する。
【０１４２】
仮に、環境温度変化によって走査ラインの曲がりが生じる向きが一様であれば、トロイダルレンズ１２０１等が反る方向を、それに合わせてあらかじめ設定しておくこともでき、薄膜抵抗を用いずに有効に反りによる曲がりを低減することもできる。
【０１４３】
また、トロイダルレンズ１２０１等の副走査方向におけるリブ部の両外面に形状記憶金属板を設け、これら形状記憶金属板両者のバランスにより走査ラインの曲がりを相殺することもできる。
【０１４４】
上記と同様な構成で、アーチ状の板材（この場合は形状記憶金属板である必要はない）に圧電素子を貼り付けて曲率を伸び縮みさせてもよく、トロイダルレンズの主走査方向における少なくとも任意の２点間に引っ張り、または圧縮応力がかかるようにすれば、走査
線曲がりを補正する効果は上記と同様である。
【０１４５】
図１１は、上に説明した画像形成部を搭載した画像形成装置の１例を示す。  
この図においては、図６における４個の感光体ドラム６０１〜６０４を、まとめて符号９０１で示す。
【０１４６】
図１１における左端の感光体ドラム９０１（ブラック画像を書き込まれる感光体ドラム）を例にとって説明すると、感光体ドラム９０１の周囲には感光体ドラム９０１を高圧帯電させる帯電チャージャ９０２、光走査装置９００により書き込まれた静電潜像に「帯電したトナー」を付着させて顕像化する現像ローラ９０３、現像ローラ９０３にトナーを補給するトナーカートリッジ９０４、転写後の感光体ドラムに残留するトナーを掻き取り備蓄するクリーニングケース９０５が配置される。
【０１４７】
感光体ドラム９０１へは上述の如く、ポリゴンミラーにおける偏向反射面１面あたりの走査により複数ライン、説明中の例では５ラインが同時にマルチビーム方式で光走査され画像の書き込みが行われる。
【０１４８】
４個の感光体ドラム９０１とその周辺機器は、転写ベルト９０６の移動方向に併設され、イエロー、マゼンタ、シアン、ブラックのトナー画像が転写ベルト９０６上にタイミングを合わせて順次転写され、重ね合わされてカラー画像を形成する。
【０１４９】
カラー画像を転写・定着される記録紙（シート上の記録媒体）は、給紙トレイ９０７から給紙コロ９０８により給紙され、レジストローラ対９０９により記録開始のタイミングに合わせて送りだされ、転写ベルト９０６上からカラー画像を転写され、定着ローラ９１
０でカラー画像を定着され、排紙ローラ９１２により排紙トレイ９１１上に排出される。
【０１５０】
上に説明した例では、図６に示したように、転写ベルト６０５上に記録された画像からレジストずれを検出し、検出結果に基づき、先頭ラインを書き込む光ビームを放射する発光源の選択を行ったが、これに限らず、例えば「光走査装置内で光ビームの副走査方向の
位置を検出」して先頭ライン用の発光源を選択してもよい。
【０１５１】
光ビームの副走査方向の位置を検出するための「センサ部」を、図１２に符号４００で
示す。センサ部４００は、感光体ドラムごとに設けられているが、構成は何れも同じである。このセンサ部を図４に示す。
【０１５２】
センサ部は「１方向に長い線状の受光面」を持つ２つのピンフォトダイオード４０１、４０２を有する。ピンフォトダイオード４０１は受光面の長手方向を副走査方向に平行に設けられ、ピンフォトダイオード４０２は受光面の長手方向を副走査方向に対して傾けて設けられている。センサ部は感光体ドラムごとに設けられ、図１２に示すように共通の基板４０３に実装され、トロイダルレンズ１２０１等から感光体ドラム６０１等に至る光路中の「書込領域外」に配備される。  基板４０３は、前述したトロイダルレンズ１２０１等の傾き調整における基準側のハウジング底面１２００の下側面にネジ４０６で固定される。
【０１５３】
図４に戻ると、各光スポットＬＤ−１、ＬＤ−２、ＬＤ−３、ＬＤ−４、ＬＤ−５は、副走査方向（図の上下方向）に「所定ピッチずつ離れて走査される」ため、ピンフォトダイオード４０１、４０２間の検出時間差：ｔ１〜ｔ５は各々異なり、副走査位置がずれるとこの時間が一様に伸び縮みする。
【０１５４】
従って、予め設定した時間差：ｔ０に最も近い光スポットを形成する光ビームを放射する発光源を選択することによって、先頭ラインの位置ずれを最小限にでき、書き込み部間隔を維持できる。上記センサ部を主走査方向の両端に設け、副走査方向の位置ずれの検出と共に、走査線の傾きを検出するようにしてもよい。
【０１５５】
ところで、光走査装置の光学素子が保持されるハウジングは、アルミダイキャスト等の「比較的熱膨張係数が大きい材質」で形成されることが多く、このためハウジングの温度が上昇すると、図１５に示すように、両端の締結部１２１８を支点として、ハウジング底面１２００が反る。
【０１５６】
このようにハウジング底面１２００が反ると、ハウジング底面１２００に植設されて折り返しミラー１１２、１１４（図６において６１５、６３６）を支持する支柱１２１６、１２１７等も倒れを生じ反射角度がずれる。  
しかしながら、このとき、折り返しミラー１１２、１１４は互いに反射面が対向しているので、上の如く反射角度がずれても、その「ずれの向き」が、折り返しミラー１１２と１１４で互いに逆になって相殺し合うので、上記ハウジング底面１２００の反りに起因する光ビーム到達位置の変動を有効に軽減することができる。
【０１５７】
もっとも、光ビームの到達位置のずれは走査線の副走査方向のずれとして検出できるから、折り返しミラーを上記のように構成しなければならないというわけではなく、ポリゴンミラーにより偏向される光ビームを、それぞれ１枚の折り返しミラーによりトロイダル
レンズに導光するようにしても良い。
【０１５８】
また、上に説明した例では、トロイダルレンズの凸側の面を感光体ドラム側に向けたが、凹側を感光体ドラム側に向けることも可能である。
【図面の簡単な説明】
【０１５９】
【図１】光走査装置の実施の１形態（図６に示す画像形成部における１個の感光体ドラムを光走査する部分を示す）を示す図である。
【図２】光軸偏向手段としての可能ミラーを説明するための図である。
【図３】光軸偏向手段の別例を２例示す図である。
【図４】走査線の副走査方向のずれを検出するセンサ部を説明するための図である。
【図５】感光体ドラムに対する書き込み位置と転写位置の関係を説明するための図である。
【図６】画像形成装置の実施の１形態における画像形成部を示す図である。
【図７】請求項７記載の発明を説明するための図である。
【図８】請求項１記載の発明を説明するための図である。
【図９】可動ミラーを駆動する回路のブロック図である。
【図１０】半導体レーザアレイの発光源を選択する回路のブロック図である。
【図１１】画像形成装置の実施の１形態を説明するための図である。
【図１２】走査線の傾きの補正を説明するための図である。
【図１３】走査線曲がりの補正を説明するための図である。
【図１４】結像手段におけるトロイダルレンズの保持状態を説明するための図である。
【図１５】光走査装置におけるハウジング底面の反りとその影響を説明するための図である。
【符号の説明】
【０１６０】
１０１      半導体レーザアレイ
１０６      シリンダレンズ
１０７、１０８      光軸偏向手段
１００      ポリゴンミラー
１０９      ｆθレンズ
１１０      トロイダルレンズ
１１２、１１４      折り返しミラー
【図１】
2008282021.tif 000003
【図２】
2008282021.tif 000004
【図３】
2008282021.tif 000005
【図４】
2008282021.tif 000006
【図５】
2008282021.tif 000007
【図６】
2008282021.tif 000008
【図７】
2008282021.tif 000009
【図８】
2008282021.tif 000010
【図９】
2008282021.tif 000011
【図１０】
2008282021.tif 000012
【図１１】
2008282021.tif 000013
【図１２】
2008282021.tif 000014
【図１３】
2008282021.tif 000015
【図１４】
2008282021.tif 000016
【図１５】
2008282021.tif 000017
【手続補正書】
【提出日】平成20年6月25日(2008.6.25)
【手続補正１】
【補正対象書類名】特許請求の範囲
【補正対象項目名】全文
【補正方法】変更
【補正の内容】
【特許請求の範囲】
【請求項１】
光源手段からの光ビームを偏向手段により偏向し、偏向された光ビームを結像手段により感光体ドラム上に結像し、上記感光体ドラムを光走査して潜像を形成し、上記潜像を現像して得られる画像を感光体ドラム上から転写体へ転写する方式の画像形成装置において、光源手段が複数の発光源を有し、光走査による感光体ドラムへの書き込み位置から転写体への転写位置へ感光体ドラムが回転する時間に応じて、光走査による画像記録を開始する副走査方向の先頭ラインを光走査する光ビームの発光源を切り換える選択手段を有することを特徴とする画像形成装置。
【請求項２】
光源手段からの光ビームを偏向手段により偏向し、偏向された光ビームを結像手段により感光体ドラム上に結像し、上記感光体ドラムを光走査して潜像を形成し、上記潜像を現像して得られる画像を感光体ドラム上から転写体へ転写する方式の画像形成装置において、光走査による感光体ドラムへの書き込み位置から転写体への転写位置へ感光体ドラムが回転する時間を、同一画像記録プロセス内で微小変動させることを特徴とする画像形成装置。
【請求項３】
請求項１または２記載の画像形成装置において、
光走査による感光体ドラムへの書き込み位置を、感光体ドラムの回転周期に対応する周波数で副走査方向に振動させることを特徴とする画像形成装置。
【請求項４】
請求項３記載の画像形成装置において、
感光体ドラム中心と感光体ドラムの回転軸との偏心量に応じて、書き込み位置の副走査方向における振動の振幅を調整することを特徴とする画像形成装置。
【請求項５】
請求項３記載の画像形成装置において、
感光体ドラムの回転方向における基準位置を検出する検出手段を備え、この検出手段による検出信号に同期して、書き込み位置の副走査方向における振動の位相を制御することを特徴とする画像形成装置。
【請求項６】
請求項１または２記載の画像形成装置において、
光走査による感光体ドラムへの書き込み位置を、転写体を移動させる駆動軸の回転周期に対応する周波数で、副走査方向に振動させることを特徴とする画像形成装置。
【請求項７】
請求項１または２記載の画像形成装置において、
転写体に転写された画像により、同一画像内で変動する副走査方向のピッチ変動を検出する検出手段を備え、光走査による感光体ドラムへの書き込み位置を、上記ピッチ変動に対応した周期で副走査方向に振動させることを特徴とする画像形成装置。
【請求項８】
請求項６または７記載の画像形成装置において、
転写体の、移動方向における基準位置を検出する検出手段を備え、この検出手段による検出信号に同期して、光走査による感光体ドラムへの書き込み位置の副走査方向における振動の位相を制御することを特徴とする画像形成装置。
【請求項９】
複数の光源手段からの各光ビームを偏向手段により偏向し、偏向された各光ビームを複数の結像手段により各光ビームに対応した感光体ドラムに結像させ、各感光体ドラム上に同時に光走査を行う光走査装置において、
結像手段の一部を構成する結像素子を、各感光体ドラムに対向する配置位置に保持する、上記各結像素子に共通の基体を有し、
上記基体が、各感光体ドラムから等距離に形成された当接面を備え、上記当接面内で上記結像素子の姿勢を保持することを特徴とする光走査装置。
【請求項１０】
請求項９記載の光走査装置において、
結像手段の一部を構成する結像素子が、レンズ部と、このレンズ部の主走査方向における両端に形成されて基体の当接面に当接するフランジ部を備え、
上記レンズ部に、副走査方向における位置規制手段を持たないことを特徴とする光走査装置。
【請求項１１】
請求項１０記載の光走査装置において、
結像素子の副走査断面積を、フランジ部において最小としたことを特徴とする光走査装置。
【請求項１２】
請求項９または１０または１１記載の光走査装置において、
結像素子が、射出成形による樹脂レンズで、各結像素子のゲート部の方向を揃えて配設されることを特徴とする光走査装置。
【請求項１３】
請求項９〜１２の任意の１に記載の光走査装置において、
各結像素子を当接面内で副走査方向に突き当てる位置決め手段を有し、これら位置決め手段による各結像素子の副走査方向の突き当て方向を揃えたことを特徴とする光走査装置。
【請求項１４】
請求項９〜１３の任意の１に記載の光走査装置において、
各結像素子を当接面内で副走査方向に突き当てる位置決め手段を備え、且つ、突き当て部位を可変としたことを特徴とする光走査装置。
【請求項１５】
複数の光源手段からの各光ビームを偏向手段により偏向し、偏向された各光ビームを複数の結像手段により各光ビームに対応した感光体ドラムに結像させ、各感光体ドラム上に同時に光走査を行う光走査装置において、
結像手段の一部を構成する結像素子を、各感光体ドラムに対向して配置し、
上記結像素子の副走査方向における少なくとも一方の辺に、主走査方向における引張り応力または圧縮応力を付与する応力発生手段を設け、結像素子の副走査方向における反り量を可変としたことを特徴とする光走査装置。
【請求項１６】
請求項１５記載の光走査装置において、
応力発生手段が、結像素子と一体的に配備されていることを特徴とする光走査装置。
【請求項１７】
複数の光源手段からの各光ビームを偏向手段により偏向し、偏向された各光ビームを複数の結像手段により各光ビームに対応した感光体ドラムに結像させ、各感光体ドラム上に同時に光走査を行って潜像を形成し、上記潜像を現像して得られる画像を各感光体ドラム上から共通の転写体へ順次転写し、上記転写体に転写された各画像により、各画像のレジストずれを検出手段で検出する方式の画像形成装置において、
結像手段の一部を構成する結像素子を、各々の感光体ドラムに対向して配置するとともに、検出手段により検出されたレジストずれに基づき、上記結像素子の副走査方向における傾き量を調整することを特徴とする画像形成装置。
【請求項１８】
複数の光源手段からの各光ビームを偏向手段により偏向し、偏向された各光ビームを複数の結像手段により各光ビームに対応した感光体ドラムに結像させ、各感光体ドラム上に同時に光走査を行って潜像を形成し、上記潜像を現像して得られる画像を各感光体ドラム上から共通の転写体へ順次転写し、上記転写体に転写された各画像により、各画像のレジストずれを検出手段で検出する方式の画像形成装置において、
結像手段の一部を構成する結像素子を、各々の感光体ドラムに対向して配置し、検出手段により検出されたレジストずれに基づき、結像素子の副走査方向における反り量を調整することを特徴とする画像形成装置。
【手続補正２】
【補正対象書類名】明細書
【補正対象項目名】００２２
【補正方法】変更
【補正の内容】
【００２２】
請求項１記載の画像形成装置は「光源手段からの光ビームを偏向手段により偏向し、偏向された光ビームを結像手段により感光体ドラム上に結像し、感光体ドラムを光走査する光走査装置」を用いる。請求項１にかかる発明を説明するのに先立って、参考技術を説明する。
【手続補正３】
【補正対象書類名】明細書
【補正対象項目名】００２３
【補正方法】変更
【補正の内容】
【００２３】
参考技術では、光源手段から偏向手段に至る光路中に「光軸偏向手段」を設け、光ビームを副走査方向に、光走査の周期に比してゆっくりと微小振動させる。
【手続補正４】
【補正対象書類名】明細書
【補正対象項目名】００２６
【補正方法】変更
【補正の内容】
【００２６】
光軸偏向手段は「副走査方向に揺動する振動モードを有する可動ミラー」であることができ、この可動ミラーは「複数の振動モード」を有することもできる。
【手続補正５】
【補正対象書類名】明細書
【補正対象項目名】００２７
【補正方法】変更
【補正の内容】
【００２７】
上記参考技術の光走査装置において用いられる光軸偏向手段は、「振動の位相を調節する位相可変手段」を備えることができ、この場合に用いられる光軸偏向手段は「振動の振幅を調節する振幅可変手段」を備えることができる。
【手続補正６】
【補正対象書類名】明細書
【補正対象項目名】００２８
【補正方法】変更
【補正の内容】
【００２８】
また、上記参考技術の光走査装置における光源手段は、「複数の発光源を有し、光走査による画像記録を開始する副走査方向の先頭ラインを光走査する光ビームの発光源を切り換える選択手段を備える」ことができる。
【手続補正７】
【補正対象書類名】明細書
【補正対象項目名】００２９
【補正方法】変更
【補正の内容】
【００２９】
請求項１記載の画像形成装置は「光源手段からの光ビームを偏向手段により偏向し、偏向された光ビームを結像手段により感光体ドラム上に結像し、感光体ドラムを光走査して潜像を形成し、潜像を現像して得られる画像を感光体ドラム上から転写体へ転写する方式の画像形成装置」であって、以下の特徴を有する。
【手続補正８】
【補正対象書類名】明細書
【補正対象項目名】００３１
【補正方法】変更
【補正の内容】
【００３１】
請求項２記載の画像形成装置は「光源手段からの光ビームを偏向手段により偏向し、偏向された光ビームを結像手段により感光体ドラム上に結像し、感光体ドラムを光走査して潜像を形成し、潜像を現像して得られる画像を感光体ドラム上から転写体へ転写する方式の画像形成装置」であって、以下の特徴を有する。
【手続補正９】
【補正対象書類名】明細書
【補正対象項目名】００３３
【補正方法】変更
【補正の内容】
【００３３】
上記請求項１または２記載の画像形成装置においては「光走査による感光体ドラムへの書き込み位置を、感光体ドラムの回転周期に対応する周波数で副走査方向に振動させる」ことができる（請求項３）。この振動は、前記光軸偏向手段により行うことができる。
【手続補正１０】
【補正対象書類名】明細書
【補正対象項目名】００３４
【補正方法】変更
【補正の内容】
【００３４】
請求項３記載の画像形成装置においては「感光体ドラム中心と感光体ドラムの回転軸との偏心量に応じて、書き込み位置の副走査方向の振動の振幅を変化させる」ことができる（請求項４）。このような振幅の可変は、上記参考技術の振幅可変手段を用いて行うことができる。
【手続補正１１】
【補正対象書類名】明細書
【補正対象項目名】００３５
【補正方法】変更
【補正の内容】
【００３５】
請求項３記載の画像形成装置においてはまた「感光体ドラムの回転方向における基準位置を検出する検出手段を備え、この検出手段による検出信号に同期して、書き込み位置の副走査方向における振動の位相を制御する」ことができる（請求項５）。このような位相の制御は、上述の位相可変手段を用いて行うことができる。
【手続補正１２】
【補正対象書類名】明細書
【補正対象項目名】００３６
【補正方法】変更
【補正の内容】
【００３６】
請求項１または２記載の画像形成装置においては、光走査による感光体ドラムへの書き込み位置を、転写体を移動させる駆動軸の回転周期に対応する周波数で、副走査方向に振動させることができ（請求項６）、この振動は、前記光軸偏向手段により行うことができる。
【手続補正１３】
【補正対象書類名】明細書
【補正対象項目名】００３７
【補正方法】変更
【補正の内容】
【００３７】
請求項１または２記載の画像形成装置はまた「転写体に転写された画像により、同一画像内で変動する副走査方向のピッチ変動を検出する検出手段」を備えることができ、光走査による感光体ドラムへの書き込み位置を、ピッチ変動に対応した周期で副走査方向に振動させることができる（請求項７）。
【手続補正１４】
【補正対象書類名】明細書
【補正対象項目名】００３８
【補正方法】変更
【補正の内容】
【００３８】
上記請求項６または７記載の画像形成装置はまた、転写体の「移動方向における基準位置」を検出する検出手段を備えることができ、この検出手段による検出信号に同期して、光走査による感光体ドラムへの書き込み位置の副走査方向における振動の位相を制御することができる（請求項８）。
【手続補正１５】
【補正対象書類名】明細書
【補正対象項目名】００３９
【補正方法】変更
【補正の内容】
【００３９】
請求項９記載の光走査装置は、「複数の光源手段からの各光ビームを偏向手段により偏向し、偏向された各光ビームを複数の結像手段により各光ビームに対応した感光体ドラムに結像させ、各感光体ドラム上に同時に光走査を行う光走査装置」であって、以下の点を特徴とする。
【手続補正１６】
【補正対象書類名】明細書
【補正対象項目名】００４１
【補正方法】変更
【補正の内容】
【００４１】
この請求項９記載の光走査装置において「結像手段の一部を構成する結像素子」が、レンズ部と、このレンズ部の主走査方向における両端に形成されて基体の当接面に当接するフランジ部とを備え、レンズ部に「副走査方向における位置規制手段を持たない」ようにすることができる（請求項１０）。この場合「結像素子の副走査断面積を、フランジ部において最小」とすることが好ましい（請求項１１）。
【手続補正１７】
【補正対象書類名】明細書
【補正対象項目名】００４２
【補正方法】変更
【補正の内容】
【００４２】
請求項９または１０または１１記載の光走査装置における結像素子は「射出成形による樹脂レンズ（樹脂製のレンズ）で、各結像素子のゲート部の方向を揃えて配備される」ことが好ましい（請求項１２）。
【手続補正１８】
【補正対象書類名】明細書
【補正対象項目名】００４３
【補正方法】変更
【補正の内容】
【００４３】
請求項９〜１２の任意の１に記載の光走査装置は「各結像素子を当接面内で副走査方向に突き当てる位置決め手段を有し、これら位置決め手段による各結像素子の副走査方向の突き当て方向を揃える」ことができる（請求項１３）。
【手続補正１９】
【補正対象書類名】明細書
【補正対象項目名】００４４
【補正方法】変更
【補正の内容】
【００４４】
請求項９〜１３の任意の１に記載の光走査装置はまた「各結像素子を当接面内で副走査方向に突き当てる位置決め手段」を備え、且つ、突き当て部位を可変とすることができる（請求項１４）。
【手続補正２０】
【補正対象書類名】明細書
【補正対象項目名】００４５
【補正方法】変更
【補正の内容】
【００４５】
請求項１５記載の光走査装置は、「複数の光源手段からの各光ビームを偏向手段により偏向し、偏向された各光ビームを複数の結像手段により各光ビームに対応した感光体ドラムに結像させ、各感光体ドラム上に同時に光走査を行う光走査装置」であって、以下の点を特徴とする。
【手続補正２１】
【補正対象書類名】明細書
【補正対象項目名】００４７
【補正方法】変更
【補正の内容】
【００４７】
この「応力発生手段」は、結像素子と一体的に配備することができる（請求項１６）。
【手続補正２２】
【補正対象書類名】明細書
【補正対象項目名】００４８
【補正方法】変更
【補正の内容】
【００４８】
請求項１７記載の画像形成装置は「複数の光源手段からの各光ビームを偏向手段により偏向し、偏向された各光ビームを複数の結像手段により各光ビームに対応した感光体ドラムに結像させ、各感光体ドラム上に同時に光走査を行って潜像を形成し、潜像を現像して得られる画像を各感光体ドラム上から共通の転写体へ順次転写し、転写体に転写された各画像により、各画像のレジストずれを検出手段で検出する方式の画像形成装置」であって、以下の点を特徴とする。
【手続補正２３】
【補正対象書類名】明細書
【補正対象項目名】００５０
【補正方法】変更
【補正の内容】
【００５０】
請求項１８記載の画像形成装置は「複数の光源手段からの各光ビームを偏向手段により偏向し、偏向された各光ビームを複数の結像手段により各光ビームに対応した感光体ドラムに結像させ、各感光体ドラム上に同時に光走査を行って潜像を形成し、潜像を現像して得られる画像を各感光体ドラム上から共通の転写体へ順次転写し、転写体に転写された各画像により、各画像のレジストずれを検出手段で検出する方式の画像形成装置」であって、以下の点を特徴とする。
【手続補正２４】
【補正対象書類名】明細書
【補正対象項目名】００５２
【補正方法】変更
【補正の内容】
【００５２】
勿論、上記請求項９〜１６の任意の１に記載された光走査装置は、参考技術における光軸偏向手段を有することができ、この光軸偏向手段は、前述の「副走査方向に揺動する振動モードを有する可動ミラー」や「複数の振動モードを有する可動ミラー」であることができる。そして、光軸偏向手段は前述の「振動の位相を調節する位相可変手段」を備えることができ、「振動の振幅を調節する振幅可変手段」を備えることもできる。
【手続補正２５】
【補正対象書類名】明細書
【補正対象項目名】００５３
【補正方法】変更
【補正の内容】
【００５３】
請求項９〜１６の任意の１に記載された光走査装置はまた、その光源装置が前述の「複数の発光源を有し、光走査による画像記録を開始する副走査方向の先頭ラインを光走査する光ビームの発光源を切り換える選択手段を備える」ことができる。
【手続補正２６】
【補正対象書類名】明細書
【補正対象項目名】００５５
【補正方法】変更
【補正の内容】
【００５５】
以下、実施の形態を説明する。  
図１は、光走査装置の１形態を示している。  
図１に示しているのは、図６に「画像形成部」を示すタンデム式のカラー画像形成装置における「１つの感光体ドラムを光走査する部分」である。混乱を避けるため、図１における符号は、図６における符号と異ならせてある。  
図６に示すタンデム式のカラー画像形成装置の「画像形成部」は、４つの感光体ドラム６０１、６０２、６０３、６０４を、転写体である転写ベルト６０５の周面の移動方向に沿って配列し、これら感光体ドラム６０１〜６０４に光走査で書き込み形成される静電潜像を互いに異なる色のトナーで可視化し、得られるトナー画像を順次、転写ベルト６０５に転写し、重ね合せてカラー画像を得、このカラー画像を図示されないシート状記録媒体、例えば、記録紙に転写・定着してカラー画像形成を行う。
【手続補正２７】
【補正対象書類名】明細書
【補正対象項目名】００８５
【補正方法】変更
【補正の内容】
【００８５】
図３（ａ）には、別の可動ミラーの例を示す。この可動ミラーは「２つの振動モード」を有する。
【手続補正２８】
【補正対象書類名】明細書
【補正対象項目名】０１０５
【補正方法】変更
【補正の内容】
【０１０５】
この実施の形態では、感光体ドラムＤＲが書き込み位置ＷＲから転写位置ＴＲへ回転する時間：ｔのばらつきや周期的変化のうち、「ドラム径のばらつき」や書き込み位置ＷＲのずれに起因する時間：ｔの変化に対しては、光源ユニットにおける半導体レーザアレイにおける発光源のうちから最適のものを選択して先頭ラインの書き込みを行うことにより補正を行う（請求項１）。
【手続補正２９】
【補正対象書類名】明細書
【補正対象項目名】０１１６
【補正方法】変更
【補正の内容】
【０１１６】
感光体ドラムの中心軸が回転軸に対して偏心していると、回転軸から感光面に至る距離：ｒが、偏心の無い場合のドラム半径：ｒ０に対し、偏心量をΔｒとしてｒ０±Δｒの範囲で変化し、感光体ドラム上の任意の位置に着目すると、この部分は、感光体ドラムが等速回転するとき固有の周速を持つ。
そこで、この周速が大きいときには、光走査による光書き込み位置を「転写部から離す側（感光体ドラムの回転の上流側）」へずらし、逆に周速が小さいときには、書き込み位置を「転写部に近い側」へずらすことにより、書き込み位置から転写部へ感光体ドラムが回転する時間：ｔを均一にする（これは、見方を変えれば、書き込み位置を変動させないときには時間的に変動する時間：ｔを微小変動させて一定化することになる。
【手続補正３０】
【補正対象書類名】明細書
【補正対象項目名】０１２４
【補正方法】変更
【補正の内容】
【０１２４】
ＰＬＬ回路９２において、感光体ドラムの駆動モータのエンコーダや、転写ベルト上に描かれたレジストマークの検出等から発生される感光体ドラム回転方向の基準位置検出信号に対し、上記パルス列の位相が合わせられる。ゲイン調整部９３では、速度変動量（感光体ドラム周面の、書き込み部における速度変動量）に応じて可動ミラーの揺動の振幅を設定し、電極９４に印加する。
【手続補正３１】
【補正対象書類名】明細書
【補正対象項目名】０１２８
【補正方法】変更
【補正の内容】
【０１２８】
トロイダルレンズは長尺であるため、「成形時のくせ」例えば、射出成形後の部分的な冷却時間差により、一様に反りを有する。感光体ドラム６０１〜６０４に対応して設けられた４つのトロイダルレンズ６１８、６１９等は「各レンズのゲート部の向きを揃え、各トロイダルレンズの反りが同じ向きになる」ように配置している（請求項１２）。このようにすれば「トロイダルレンズの反りによる走査線の曲がり」の向きを、各感光体ドラムに対して揃えることができる。
【手続補正３２】
【補正対象書類名】明細書
【補正対象項目名】０１３１
【補正方法】変更
【補正の内容】
【０１３１】
各トロイダルレンズ１２０１等は、図１２に示すように各感光体ドラム６０１〜６０４に対向して、（トロイダルレンズに共通の「基体（請求項９）」である）ハウジング底面１２００に、光軸方向および副走査方向を揃えて配置され、主走査方向の中央部において感光体ドラム側に突出する突起１２１１を、ハウジング底面１２００側の凹部１２１３に係合させて主走査方向（長手方向）を位置決めされる。
【手続補正３３】
【補正対象書類名】明細書
【補正対象項目名】０１３２
【補正方法】変更
【補正の内容】
【０１３２】
トロイダルレンズ１２０１等は、両端のフランジ部１２０２の「一方の側面」に当接するように配備された偏心カム１２０４、１２０５に、第１の板ばね１２１５によって押し付けられて副走査方向を位置決めされ（請求項１３）、下面をハウジング基準面１２１２に第２の板ばね１２１４によって押圧されて光軸方向を位置決めされて保持される。
【手続補正３４】
【補正対象書類名】明細書
【補正対象項目名】０１３３
【補正方法】変更
【補正の内容】
【０１３３】
一方の偏心カム１２０５は基準用として調整状態でネジ固定され、他方の偏心カム１２０４は調整用で、斜歯ギヤ対１２０６を介してパルスモータ１２０７で回転可能としている。これにより、トロイダルレンズ１２０１等は、フランジ部下面をハウジング基準面１２１２に当接した状態で、副走査方向の位置を基準用の偏心カム１２０５で光ビームの走査位置に合わせて初期設定し、傾きを調整用の偏心カム１２０４で調整し（請求項１４）、光走査部間のずれや感光体ドラムの軸傾き等による副走査傾きを転写ベルト上での記録画像より検出し、経時的にも補正できるようにしている。
【手続補正３５】
【補正対象書類名】明細書
【補正対象項目名】０１３８
【補正方法】変更
【補正の内容】
【０１３８】
図１３、図１４を参照し、トロイダルレンズ１２０１を例にとって説明する。  
図１４（ａ）に示すように、トロイダルレンズ１２０１は両端のフランジ部１２０２（括弧内の数字は、図６における符号に対応する）でハウジング基準面１２１２に支持され、図１４（ｂ）に断面図として示すように「レンズ部には、副走査方向に何ら規制個所を持たない保持方式」としている（請求項１０）。
【手続補正３６】
【補正対象書類名】明細書
【補正対象項目名】０１４１
【補正方法】変更
【補正の内容】
【０１４１】
即ち、形状記憶金属板１２０８と薄膜抵抗１２０９とは「応力発生手段（請求項１５）を構成する。
【手続補正３７】
【補正対象書類名】明細書
【補正対象項目名】０１５９
【補正方法】変更
【補正の内容】
【０１５９】
【図１】光走査装置の１形態（図６に示す画像形成部における１個の感光体ドラムを光走査する部分を示す）を示す図である。
【図２】光軸偏向手段としての可能ミラーを説明するための図である。
【図３】光軸偏向手段の別例を２例示す図である。
【図４】走査線の副走査方向のずれを検出するセンサ部を説明するための図である。
【図５】感光体ドラムに対する書き込み位置と転写位置の関係を説明するための図である。
【図６】画像形成装置の実施の１形態における画像形成部を示す図である。
【図７】請求項１記載の発明を説明するための図である。
【図８】参考技術を説明するための図である。
【図９】可動ミラーを駆動する回路のブロック図である。
【図１０】半導体レーザアレイの発光源を選択する回路のブロック図である。
【図１１】画像形成装置の実施の１形態を説明するための図である。
【図１２】走査線の傾きの補正を説明するための図である。
【図１３】走査線曲がりの補正を説明するための図である。
【図１４】結像手段におけるトロイダルレンズの保持状態を説明するための図である。
【図１５】光走査装置におけるハウジング底面の反りとその影響を説明するための図である。